(57)【要約】【課題】  三相交流電力が印加される電気機器に用いられる積鉄心の損失および騒音を低減する。【解決手段】  積鉄心２００は、積鉄心２００の高さ方向から積鉄心２００を見た場合に、中空の略正六角形の形状を有する継鉄部２２１、２２２であって、積鉄心２００の高さ方向において間隔をあけて相互に対向するように配置された継鉄部２２１、２２２と、積鉄心２００の高さ方向に延設される脚部２１１、２１２、２１３であって、継鉄部２２１、２２２と接合される脚部２１１、２１２、２１３とを有する。【選択図】  図２
2019125651.tif 000002
【特許請求の範囲】
【請求項１】
積層された複数の軟磁性体板を有し、略同じ構成を有する３つの脚部と、積層された複数の軟磁性体板を有し、略同じ構成を有する２つの継鉄部とを有し、当該３つの脚部と当該２つの継鉄部とが磁気的に結合された状態の積鉄心であって、
前記３つの脚部は、それぞれ、前記積鉄心の高さ方向に延設され、
前記３つの脚部の横断面において、当該３つの脚部の軸の位置は、前記積鉄心の軸の位置を重心の位置とする三角形の頂点の位置と略同じ位置にあり、
前記３つの脚部を構成する前記軟磁性体板の板面が、前記三角形の重心と、当該脚部が位置する前記三角形の頂点とを相互に結ぶ仮想線が延びる方向に対して略垂直な方向を向くように、前記３つの脚部を構成する前記軟磁性体板は積層された状態であり、
前記継鉄部を構成する軟磁性体板は、少なくとも１箇所において折り曲げられた状態であり、
前記２つの継鉄部のうち、一方の前記継鉄部は、前記３つの脚部の長手方向の一方の端部の領域と接合された状態であり、他方の前記継鉄部は、前記３つの脚部の長手方向の他方の端部の領域と接合された状態であり、
前記継鉄部および前記脚部の接合される領域において、前記継鉄部および前記脚部を構成する軟磁性体板の積層方向は、略同じ方向であることを特徴とする積鉄心。
【請求項２】
前記継鉄部は、前記積鉄心の軸の周りを周回する形状を有し、
前記継鉄部の形状は、中空の３角柱であることを特徴とする請求項１に記載の積鉄心。
【請求項３】
前記継鉄部の形状は、ｎを６以上の３の倍数の整数とする中空のｎ角柱であることを特徴とする請求項１に記載の積鉄心。
【請求項４】
前記ｎ角柱は、略正ｎ角柱であることを特徴とする請求項３に記載の積鉄心。
【請求項５】
前記継鉄部は、略同じ構成の３つの継鉄構成部分を有し、
前記継鉄構成部分は、積層された複数の軟磁性体板を有し、
前記継鉄構成部分は、前記積鉄心の軸の周りを周回する方向において、他の前記継鉄構成部分と相互に接合された状態であることを特徴とする請求項１〜４の何れか１項に記載の積鉄心。
【請求項６】
相互に隣接する位置に配置される２つの前記継鉄構成部分の接合部の、前記積鉄心の軸に垂直な仮想平面上の座標は、前記脚部の、前記積鉄心の軸に垂直な仮想平面上の座標に含まれる状態であることを特徴とする請求項５に記載の積鉄心。
【請求項７】
相互に隣接する位置に配置される２つの前記継鉄構成部分の接合部の、前記積鉄心の軸に垂直な仮想平面上の座標は、前記脚部の、前記積鉄心の軸に垂直な仮想平面上の座標に含まれておらず、２つの前記脚部と前記継鉄部との接合部の間の領域にあることを特徴とする請求項５に記載の積鉄心。
【請求項８】
前記継鉄構成部分を構成する軟磁性体板と、前記積鉄心の軸の周りを周回する方向において、当該継鉄構成部分と隣り合う他の前記継鉄構成部分を構成する軟磁性体板とは、ステップラップ接合または交互ラップ接合により接合された状態であることを特徴とする請求項５〜７の何れか１項に記載の積鉄心。
【請求項９】
前記３つの脚部の横断面において、当該３つの脚部の軸の位置は、前記積鉄心の軸の位置を重心の位置とする略正三角形の頂点の位置と略同じ位置にあることを特徴とする請求項１〜８の何れか１項に記載の積鉄心。
【請求項１０】
前記脚部を構成する軟磁性体板と、前記継鉄部を構成する軟磁性体板とは、ステップラップ接合または交互ラップ接合により接合された状態であることを特徴とする請求項１〜９の何れか１項に記載の積鉄心。
【請求項１１】
前記脚部の横断面において、前記脚部を構成する軟磁性体板の板面方向の長さは、略同じであることを特徴とする請求項１〜１０の何れか１項に記載の積鉄心。
【請求項１２】
前記脚部の横断面において、前記脚部を構成する軟磁性体板の積層方向に垂直な方向における当該軟磁性体板の板面方向の長さは、前記脚部を構成する軟磁性体板の積層方向の中央から端に向けて段階的に小さくなることを特徴とする請求項１〜１０の何れか１項に記載の積鉄心。
【請求項１３】
前記軟磁性体板の前記折り曲げられている領域における鉄損値の、当該軟磁性体板のその他の領域における鉄損値に対する比が１．５以下であることを特徴とする請求項１〜１２の何れか１項に記載の積鉄心。
【請求項１４】
前記軟磁性体板は、電磁鋼板であることを特徴とする請求項１〜１３の何れか１項に記載の積鉄心。
【請求項１５】
三相交流電力が印加される電気機器であって、
請求項１〜１４の何れか１項に記載の積鉄心と、
前記脚部に巻き回されたコイルと、を有することを特徴とする電気機器。
【発明の詳細な説明】
【技術分野】
【０００１】
本発明は、積鉄心および電気機器に関し、特に、三相交流電力が印加される電気機器に用いて好適なものである。
【背景技術】
【０００２】
三相交流電力が印加される電気機器の一例として三相変圧器がある。三相変圧器には鉄心が用いられる。三相変圧器の鉄心には大きく分けて積鉄心と巻鉄心がある。何れの鉄心も、例えば、複数の脚部と、当該脚部を磁気的に結合され、当該脚部と共に閉磁路を構成する複数の継鉄部とを有する。特許文献１には、三相変圧器用の積鉄心が開示されており、特許文献２には、三相変圧器用の巻鉄心が開示されている。何れの鉄心も、一方向（直線上）に間隔を有して配置される３つの脚部と、当該脚部の上端部・下端部の領域において当該脚部と接合される２つの継鉄部と、を有する。
【先行技術文献】
【特許文献】
【０００３】
【特許文献１】特開２０００−２００７２２号公報
【特許文献２】特開２００９−２５２７９５号公報
【発明の概要】
【発明が解決しようとする課題】
【０００４】
しかしながら、特許文献１に記載の積鉄心を三相変圧器に用いると、継鉄部と中央の脚部との境界の領域付近等で回転磁界が発生しやすい。回転磁界とは、磁界の向きが一定の周期で楕円状または円状に変化する磁界をいう。特許文献１に記載のような積鉄心では、このような回転磁界が発生し易いこと等の理由で、ビルディングファクタ（電気機器の鉄損÷鉄心を構成する材料の鉄損）が大きくなる虞がある。
【０００５】
一方、特許文献２に記載のような巻鉄心を三相変圧器に用いると、磁束は圧延方向に沿うため、回転磁界は発生しづらい。しかしながら、巻鉄心を製造する場合には、鉄心としての形状とした後に、歪取り焼鈍が行われる。軟磁性体板を巻き回して鉄心の形状とする際に軟磁性体板に歪みが導入されるからである。歪取り焼鈍が行われると、磁区細分化により軟磁性体板により導入された歪が低減・消失する虞がある。磁区細分化とは、軟磁性体板の表面に局部的な歪を導入し、磁区を細分化する手法である。例えば、軟磁性体板に対するレーザービームの照射を行うことにより、磁区細分化を実現することができる。磁区細分化は、軟磁性体板の鉄損の低減に大きく寄与するが、以上のように巻鉄心に対して磁区細分化の技術を適用することが容易ではない。
【０００６】
更に、特許文献１、２に記載の技術のように、脚部が一方向に並ぶ構成とすると、中央の脚部に対して巻き回されたコイルに励磁電流を流すことにより発生する磁路と、当該中央の脚部の隣にある脚部に対して巻き回されたコイルに励磁電流を流すことにより発生する磁路とが異なる。このため、三相の磁気回路が均等にならない。従って、鉄損を増加や、鉄心の振動による騒音をさせる要因となる高調波の磁束が鉄心内に発生する虞がある。
【０００７】
本発明は、以上のような問題点に鑑みてなされたものであり、三相交流電力が印加される電気機器に用いられる積鉄心の損失および騒音を低減することを目的とする。
【課題を解決するための手段】
【０００８】
本発明の積鉄心は、積層された複数の軟磁性体板を有し、略同じ構成を有する３つの脚部と、積層された複数の軟磁性体板を有し、略同じ構成を有する２つの継鉄部とを有し、当該３つの脚部と当該２つの継鉄部とが磁気的に結合された状態の積鉄心であって、前記３つの脚部は、それぞれ、前記積鉄心の高さ方向に延設され、前記３つの脚部の横断面において、当該３つの脚部の軸の位置は、前記積鉄心の軸の位置を重心の位置とする三角形の頂点の位置と略同じ位置にあり、前記３つの脚部を構成する前記軟磁性体板の板面が、前記三角形の重心と、当該脚部が位置する前記三角形の頂点とを相互に結ぶ仮想線が延びる方向に対して略垂直な方向を向くように、前記３つの脚部を構成する前記軟磁性体板は積層された状態であり、前記継鉄部を構成する軟磁性体板は、少なくとも１箇所において折り曲げられた状態であり、前記２つの継鉄部のうち、一方の前記継鉄部は、前記３つの脚部の長手方向の一方の端部の領域と接合された状態であり、他方の前記継鉄部は、前記３つの脚部の長手方向の他方の端部の領域と接合された状態であり、前記継鉄部および前記脚部の接合される領域において、前記継鉄部および前記脚部を構成する軟磁性体板の積層方向は、略同じ方向であることを特徴とする。
本発明の電気機器は、三相交流電力が印加される電気機器であって、前記積鉄心と、前記脚部に巻き回されたコイルと、を有することを特徴とする。
【発明の効果】
【０００９】
本発明によれば、三相交流電力が印加される電気機器に用いられる積鉄心の損失および騒音を低減することができる。
【図面の簡単な説明】
【００１０】
【図１】三相変圧器の構成の第１の例を示す正面図である。
【図２】三相変圧器の構成の第１の例を示す上面図、横断面図、および底面図である。
【図３】第１の例の積鉄心を展開した様子の第１の例を示す図である。
【図４】第１の例の積鉄心を展開した様子の第２の例を示す図である。
【図５】三相変圧器の第１の例の変形例の構成を示す上面図、横断面、および底面図である。
【図６】三相変圧器の構成の第２の例を示す正面図である。
【図７】三相変圧器の構成の第２の例を示す上面図および底面図である。
【図８】第２の例の積鉄心を展開した様子の第１の例を示す図である。
【図９】第２の例の積鉄心を展開した様子の第２の例を示す図である。
【発明を実施するための形態】
【００１１】
単相の交流電力が印加される電気機器で用いられる積鉄心として、一方向（直線上）に間隔を有して配置される２つの脚部と、当該２つの脚部の上端部の領域・下端部の領域にそれぞれ接合される２つの継鉄部とを有する積鉄心（正面から見た形状が略口の字状の積鉄心）がある。本発明者らは、このような積鉄心では、ビルディングファクタが１に近いことに着目した。以下の説明では、このような積鉄心を必要に応じて２脚鉄心と称する。
【００１２】
２脚鉄心において、継鉄部を曲げた状態にしても磁路が大きく変わるわけではないので、鉄損が多少劣化する継鉄部の曲げ部分の体積が継鉄部全体の体積に比べ十分小さくすれば、ビルディングファクタは、継鉄部を曲げない場合と大きく変わることはない。そこで、本発明者らは、継鉄部を曲げた３つの２脚鉄心を、積鉄心の周方向（積鉄心の軸回り）において組み合わせて鉄心を構成すれば、ビルディングファクタを低減することなく、三相の磁気回路を均等に近づけて高調波の磁束の発生を抑制できることを着想した。以下に説明する各実施形態は、このような着想に基づいてなされたものである。
【００１３】
また、本発明者らは、Ｂ８（８００Ａ／ｍの磁界強度における磁束密度）が大きい方向性電磁鋼板は方位集積度も大きいのにも関わらず、Ｂ８が大きい方向性電磁鋼板を三相変圧器の鉄心として用いると、鉄心の鉄損の改善率が、方向性電磁鋼板自体の鉄損の改善率に基づく期待値よりも小さくなるという知見を得た。これは、方向性電磁鋼板のＢ８を大きくすると、方向性電磁鋼板における磁気異方性が向上するため、方向性電磁鋼板の圧延方向への磁束の直進性が増すためであると考えられる。尚、Ｂ８は、方向性電磁鋼板の方位集積度を反映し、Ｂ８が大きいほど、方向性電磁鋼板の方位集積度は大きくなる。方位集積度とは、ミラー指数のゴス方位への配向の度合いを示すものであり、方位集積度が大きいほど、ミラー指数がゴス方位に配向している結晶粒が多いことを示す。
【００１４】
以下の各実施形態で説明する積鉄心を構成する軟磁性体板は、方向性電磁鋼板に限らず、例えば、無方向性電磁鋼板や電磁鋼板以外の軟磁性体板であってもよいが、以上の知見から、以下の各実施形態では、積鉄心を構成する軟磁性体板が方向性電磁鋼板である場合を例に挙げて説明する。
また、以下の各実施形態では、三相交流電力が印加される電気機器として三相変圧器を例に挙げて説明する。ただし、三相交流電力が印加される電気機器は、三相変圧器に限定されず、例えば、三相リアクトルであってもよい。
【００１５】
以下、図面を参照しながら、本発明の実施形態を説明する。各図において、Ｘ、Ｙ、Ｚ座標は、各図における向きの関係を示し、○の中に×を付しているものは、紙面の手前側から奥側に向かう方向を示し、○の中に●を付しているものは、紙面の奥側から手前側に向かう方向を示す。また、以下の各図では、表記および説明の都合上、説明に必要なもののみを必要に応じて簡略化して示す。
【００１６】
（第１の実施形態）
まず、第１の実施形態を説明する。
図１は、三相変圧器の構成の一例を示す図であり、三相変圧器をその正面から見た図である。図２は、三相変圧器の構成の一例を示す図であり、三相変圧器をその上方（Ｚ軸方向）から見た上面図（図２（ａ））と、三相変圧器のＺ軸方向の中央における横断面を示す横断面図（図１のＩ−Ｉ断面図、図２（ｂ））と、三相変圧器をその下方（Ｚ軸方向）から見た底面図（図２（ｃ））である。
三相変圧器は、積鉄心２００と、３つのコイル群３１０、３２０、３３０とを有する。
【００１７】
積鉄心２００は、３つの脚部２１１、２１２、２１３と、２つの継鉄部２２１、２２２とを有する。
３つの脚部２１１、２１２、２１３は、略同じもの（形状および大きさが略同じ）である。３つの脚部２１１、２１２、２１３は、積層された（積み重ねられた）複数の方向性電磁鋼板を有する。３つの脚部２１１、２１２、２１３は、その長手方向が、積鉄心２００の高さ方向（Ｚ軸方向）に沿うように配置される。図２（ｂ）に示すように、脚部２１１、２１２、２１３の横断面（積鉄心２００の高さ方向（Ｚ軸方向）に垂直な方向に切った断面）の形状は四角形である。
【００１８】
また、３つの脚部２１１、２１２、２１３の横断面において、３つの脚部２１１、２１２、２１３を構成する方向性電磁鋼板の板面方向の長さ（幅）は、略同じである。また、３つの脚部２１１、２１２、２１３の横断面において、３つの脚部２１１、２１２、２１３の重心（軸）２１１ａ、２１２ａ、２１３ａは、積鉄心２００の軸２００ａ（積鉄心２００の重心の位置を通り高さ方向（Ｚ軸方向）に延びる軸）を重心の位置とする略正三角形の頂点と略同じ位置に位置する。３つの脚部２１１、２１２、２１３は、積鉄心２００の軸２００ａを軸として略３回対称となるように配置される。
【００１９】
また、３つの脚部２１１、２１２、２１３の横断面において、３つの脚部２１１、２１２、２１３を構成する方向性電磁鋼板の板面が、それぞれ、積鉄心２００の軸２００ａと、当該脚部２１１、２１２、２１３の重心（軸）２１１ａ、２１２ａ、２１３ａとを相互に結ぶ仮想線が延びる方向に対して略垂直な方向を向くように、３つの脚部２１１、２１２、２１３を構成する方向性電磁鋼板は積層される。
【００２０】
２つの継鉄部２２１、２２２は、略同じもの（形状および大きさが略同じ）である。図２（ａ）および図２（ｃ）に示すように２つの継鉄部２２１、２２２は、積鉄心２００の軸２００ａの回りを周回する形状を有する。具体的に２つの継鉄部２２１、２２２の形状は、積鉄心２００の軸２００ａと略同軸の、中空のｎ角柱である。ここで、ｎは、３以上の３の倍数の整数であり、６以上が好ましい。また、ｎ角柱の上面および下面（底面）の外縁の形状は略正３角形であるのが好ましい。即ち、ｎ角柱は、正３角柱の各角部をｎ／３個の折り曲げ部とすることが好ましい。このように２つの継鉄部２２１、２２２は、３個以上の折り曲げ部を有する（図２（ａ）に示す例では、６個の折り曲げ部を有する（２つの継鉄部２２１、２２２の形状は、積鉄心２００の軸２００ａと略同軸の、中空の６角柱であるので、正３角柱の各角部を２（＝６／３）個の折り曲げ部としている））。尚、中空の領域は、積鉄心２００の軸２００ａの方向において貫通する領域である。図２では、２つの継鉄部２２１、２２２の形状が、中空の正六角柱である場合を例に挙げて説明する。
【００２１】
２つの継鉄部２２１、２２２は、それぞれ、３つの脚部２１１、２１２、２１３の上端部の領域、下端部の領域と接合された状態で配置される。これにより、継鉄部２２１、２２２および脚部２１１、２１２、２１３は磁気的に結合される。この際、継鉄部２２１、２２２と脚部２１１、２１２、２１３とは、それらを構成する方向性電磁鋼板の板面の一部の領域が相互に重なるようにするのが好ましい。尚、接合とは、板厚部分同士を突き合わせることをいい、物理的に取り外し不能にされることを意味するものではない（このことは、以降の記載でも同じである）。
【００２２】
継鉄部２２１は、積層された（積み重ねられた）複数の方向性電磁鋼板の組として同じ構成の組２２１ａ〜２２１ｃを３つ有する。以下の説明では、この組を、必要に応じて継鉄構成部分２２１ａ〜２２１ｃと称する。各継鉄構成部分２２１ａ〜２２１ｃを構成する複数の方向性電磁鋼板は、長手方向の長さおよび折り曲げ位置が異なる。各継鉄構成部分２２１ａ〜２２１ｃを構成する複数の方向性電磁鋼板は、その長手方向の２箇所の位置で、略同じ折り曲げ角度で折り曲げられた形状（折り曲げ部）を有する。図２（ａ）に示す例では、当該折り曲げ角度は、略６０°である。ここで、折り曲げ角度とは、継鉄構成部分２２１ａ〜２２１ｃを構成する方向性電磁鋼板の、平面の状態からの折り曲げ角度である。従って、継鉄構成部分２２１ａ〜２２１ｃの２つの角部の角度（のうち小さい方の角度）は、それぞれ略１２０°である。
【００２３】
図２（ａ）に示すように、各継鉄構成部分２２１ａ〜２２１ｃは、それらを構成する複数の方向性電磁鋼板の折り曲げ部の凹面が、積鉄心２００の軸２００ａ側を向き、且つ、当該複数の方向性電磁鋼板の板面が、積鉄心２００の軸２００ａに垂直な仮想平面に対して略垂直な方向を向き、且つ、各継鉄構成部分２２１ａ〜２２１ｃと積鉄心２００の軸２００ａとの距離が略等距離になるように配置される。従って、各継鉄構成部分２２１ａ〜２２１ｃの長手方向の端部同士が接合される。
【００２４】
本実施形態では、積鉄心２００をその上方および下方から見た場合（高さ方向（Ｚ軸方向）から見た場合）に、相互に隣接する位置に配置される２つの継鉄構成部分２２１ａ・２２１ｂ、２２１ｂ・２２１ｃ、２２１ｃ・２２１ａの接合部２３１ａ、２３１ｂ、２３１ｃの領域が、それぞれ、脚部２１１、２１２、２１３の領域に含まれるようにする。即ち、相互に隣接する位置に配置される２つの継鉄構成部分２２１ａ・２２１ｂ、２２１ａ・２２１ｃ、２２１ｂ・２２１ｃの接合部２３１ａ、２３１ｂ、２３１ｃの、積鉄心２００の軸２００ａに垂直な仮想平面（Ｘ−Ｙ平面）上の座標は、それぞれ、脚部２１１、２１２、２１３の、積鉄心２００の軸２００ａに垂直な仮想平面（Ｘ−Ｙ平面）上の座標に含まれる。
【００２５】
以上のようにして各継鉄構成部分２２１ａ〜２２１ｃを構成および配置することで、各継鉄構成部分２２１ａ〜２２１ｃにおいて、当該継鉄構成部分２２１ａ〜２２１ｃを構成する複数の方向性電磁鋼板の折り曲げられた２箇所の位置の間の領域が、継鉄部２２１の平面形状である中空の略正六角形の一辺を構成する。また、当該継鉄構成部分２２１ａ〜２２１ｃを構成する複数の方向性電磁鋼板のその他の領域（折り曲げられた２箇所の位置の間の領域以外の領域）と、当該継鉄構成部分２２１ａ〜２２１ｃと接合される継鉄構成部分２２１ａ〜２２１ｃの当該その他の領域（折り曲げられた２箇所の位置の間の領域以外の領域）とで、継鉄部２２１の平面形状である中空の略六角形の一辺を構成する。従って、継鉄部２２１の折り曲げられる箇所は合計６箇所になる。尚、各継鉄構成部分を構成する複数の方向性電磁鋼板の箇所の数は、継鉄部の平面形状に応じて定められる。例えば、継鉄部の平面形状が中空の三角形である場合、尚、各継鉄構成部分を構成する複数の方向性電磁鋼板の折り曲げられる箇所の数は、１つでよい（１つの継鉄部の折り曲げられる箇所は合計３箇所になる）。
【００２６】
図２（ａ）〜図２（ｃ）に示すように、継鉄部２２１を構成する複数の方向性電磁鋼板のうち、脚部２１１、２１２、２１３と接合される領域に配置される複数の方向性電磁鋼板の積層方向は、当該脚部２１１、２１２、２１３を構成する複数の方向性電磁鋼板の積層方向と略同じになる。継鉄部２２１（継鉄構成部分２２１ａ〜２２１ｃ）を構成する複数の方向性電磁鋼板の積層方向は、前述した折り曲げ位置において異なる方向に変更される。継鉄部２２１（継鉄構成部分２２１ａ〜２２１ｃ）を構成する複数の方向性電磁鋼板の積層方向であって、相互に異なる積層方向のなす角度は略６０°である。
【００２７】
ここで、方向性電磁鋼板の折り曲げは、例えば、ユニコア加工機等、公知の技術を用いて行うことができる。
また、少なくとも方向性電磁鋼板の折り曲げ部に熱処理を施すことにより折り曲げ加工により導入された塑性歪を軽減し、その結果、方向性電磁鋼板の折り曲げ部における鉄損値（塑性歪に伴い増加する）の、方向性電磁鋼板のその他の領域における鉄損値に対する比が、１．５以下となっていることが好ましい。折り曲げ加工によるビルディングファクタの劣化を抑制することができるからである。
前述したように継鉄部２２２は、継鉄部２２１と略同じものであり、継鉄部２２２の説明は、以上の継鉄部２２１の説明において、符号２２１を２２２に、符号２３１を２３２に置き換えたものになる。従って、継鉄部２２２の詳細な説明を省略する。
【００２８】
また、脚部２１１、２１２、２１３および継鉄部２２１、２２２を構成する方向性電磁鋼板に対して磁区細分化を行うのが好ましい。例えば、方向性電磁鋼板の表面に対して、ボールペンによる罫書き、レーザービームの照射、電子ビームの照射、またはプラズマの照射を行うことにより、磁区細分化を実現することができる。これらの手法により、例えば、方向性電磁鋼板の圧延方向に対して略直交するように線状に歪を導入することができる。折り曲げ部に前述した熱処理を行う場合には、方向性電磁鋼板のその他の領域に熱処理の影響を及ぼさないことが好ましい。
【００２９】
コイル群３１０、３２０、３３０は、それぞれ、積鉄心２００の脚部２１１、２１２、２１３に対して巻き回されるコイルを有する。本実施形態では、三相変圧器を例に挙げて説明するので、コイル群３１０、３２０、３３０は、例えば、それぞれ、Ｕ相、Ｖ相、Ｗ相に対応し、それぞれが、一次コイル（励磁コイル）と二次コイル（二次電圧を出力するコイル）とを有する。コイル群３１０、３２０、３３０は、三相変圧器に適用される公知のコイルにより実現することができる。従って、コイル群３１０、３２０、３３０の詳細な説明を省略する。
【００３０】
前述したように、３つの継鉄構成部分２２１ａ〜２２１ｃ、２２２ａ〜２２２ｃを接合することにより（１つの）継鉄部２２１、２２２が構成される。また、脚部２１１〜２１３と継鉄部２２１、２２２とを接合することにより、積鉄心２００が構成される。以下に、これらの接合方法の一例を説明する。
【００３１】
図３は、積鉄心２００を展開した様子の第１の例を示す図である。図３（ａ）は、積鉄心２００の内周面の領域を展開して示す図である。図３（ｂ）は、積鉄心２００の上面の領域（Ｚ軸の正の方向から負の方向に向けて見た場合の積鉄心２００の領域）を展開して示す図である。図３（ｃ）は、積鉄心２００の下面の領域（Ｚ軸の負の方向から正の方向に向けて見た場合の積鉄心２００の領域）を展開して示す図である。尚、図３では、表記の都合上、方向性電磁鋼板の積層枚数を、図２と異ならせている。また、図３（ａ）において、破線は、最表面の方向性電磁鋼板の裏側（Ｙ軸の正の方向側）にある方向性電磁鋼板の輪郭を示す。
【００３２】
図３（ａ）〜図３（ｃ）に示すように、継鉄部２２１、２２２の継鉄構成部分２２１ａ〜２２１ｃ、２２２ａ〜２２２ｃは、五角形の複数の方向性電磁鋼板を、当該五角形の最も長い辺に沿う方向（長手方向）の端部の位置が階段状に繰り返しずれるように積層することにより構成される。ここで、当該方向性電磁鋼板の圧延方向は、当該五角形の最も長い辺（長手方向）に沿う方向（継鉄部２２１、２２２の長手方向）と略平行である（図３の継鉄構成部分２２１ａ〜２２１ｃ、２２２ａ〜２２２ｃの中に示す両矢印線を参照）。
【００３３】
図３（ａ）ではこのようにして積層された複数の方向性電磁鋼板を、それぞれ方向性電磁鋼板群３０１〜３０６として示す。継鉄構成部分２２１ａ〜２２１ｃ、２２２ａ〜２２２ｃを構成する複数の方向性電磁鋼板は、継鉄構成部分２２１ａ〜２２１ｃ、２２２ａ〜２２２ｃの折り曲げ位置と合う位置で、折り曲げ角度が略６０°になるように折り曲げられる。図２（ａ）、図２（ｃ）に示す、継鉄構成部分２２１ａ〜２２１ｃ、２２２ａ〜２２２ｃを構成する複数の方向性電磁鋼板の長手方向の長さは、積鉄心２００の内周側よりも外周側（図３（ａ）の紙面の手前側よりも奥側）の方が長い。折り曲げ位置が相互に合うように方向性電磁鋼板を積層した際に、積層された方向性電磁鋼板の長手方向の端の位置が揃うように、継鉄構成部分２２１ａ〜２２１ｃ、２２２ａ〜２２２ｃを構成する複数の方向性電磁鋼板の長手方向の長さおよび折り曲げ位置が定められる。
【００３４】
図３（ａ）に示すように、脚部２１１〜２１３は、六角形の複数の方向性電磁鋼板を、当該六角形の最も長い辺に沿う方向（脚部２１１〜２１３の長手方向）の位置が階段状に繰り返しずれるように積層することにより構成される。ここで、当該方向性電磁鋼板の圧延方向は、当該六角形の最も長い辺に沿う方向（脚部２１１〜２１３の長手方向）と略平行である（図３（ａ）の脚部２１１〜２１３の中に示す両矢印線を参照）。
【００３５】
図３（ａ）ではこのようにして積層された複数の方向性電磁鋼板を、それぞれ方向性電磁鋼板群３０７〜３０９として示す。脚部２１１〜２１３を構成する六角形の複数の方向性電磁鋼板の長手方向の長さは同じであり、且つ、折り曲げられていない。
【００３６】
このようにして構成した方向性電磁鋼板群３０１〜３０９を接合することにより積鉄心２００が構成される。図３に示す例では、方向性電磁鋼板群３０１〜３０９の接合（突き合わせ）の方式をステップラップ接合とする場合を示す。ステップラップ接合は、板の長手方向における板厚部分を見た場合に、板の長手方向の端部の位置が、周期的に階段状にずれるように板を積層することにより実現される。
【００３７】
図３に示す例では、継鉄構成部分２２１ａを構成する方向性電磁鋼板群３０１の長手方向の一端と、継鉄構成部分２２１ｂを構成する方向性電磁鋼板群３０２の長手方向の一端と、脚部２１１を構成する方向性電磁鋼板群３０７の長手方向の一端とがステップラップ接合される。また、継鉄構成部分２２１ｂを構成する方向性電磁鋼板群３０２の長手方向の他端と、継鉄構成部分２２１ｃを構成する方向性電磁鋼板群３０３の長手方向の一端と、脚部２１３を構成する方向性電磁鋼板群３０８の長手方向の一端とがステップラップ接合される。また、継鉄構成部分２２１ｃを構成する方向性電磁鋼板群３０３の長手方向の他端と、継鉄構成部分２２１ａを構成する方向性電磁鋼板群３０２の長手方向の他端と、脚部２１２を構成する方向性電磁鋼板群３０９の長手方向の一端とがステップラップ接合される。継鉄構成部分２２２ａ〜２２２ｃについても継鉄構成部分２２１ａ〜２２１ｃと同様に、脚部２１１〜２１３、および、当該継鉄構成部分に隣接して配置される２つの継鉄構成部分とステップラップ接合される。
【００３８】
図３に示す例では、方向性電磁鋼板の長手方向（図３（ｂ）ではＸ軸方向、図３（ｃ）ではＹ軸方向）における方向性電磁鋼板の板厚部分を見た場合に、方向性電磁鋼板の板厚方向で隣接する６つの方向性電磁鋼板毎に、方向性電磁鋼板の長手方向の端部のそれぞれの位置が、周期的に階段状にずれるようにする場合を示す。
尚、図３に示す例では、方向性電磁鋼板の長手方向の端部の位置を、１つの方向性電磁鋼板毎にずらす場合を示すが、方向性電磁鋼板の長手方向の端部の位置を、複数の方向性電磁鋼板毎にずらすようにしてもよい。
【００３９】
以上のようなステップラップ接合を採用することによって、方向性電磁鋼板の長手方向における板厚部分を見た場合に、当該方向性電磁鋼板の長手方向の端部の位置が、徐々に変化するため、当該方向性電磁鋼板の長手方向の端部の板厚方向の各位置における磁束の集中（即ち、当該方向性電磁鋼板の長手方向の端部の板厚方向において磁束が不均一になること）を抑制することができる。
【００４０】
図４は、積鉄心２００を展開した様子の第２の例を示す図である。図４（ａ）は、積鉄心２００の内周面の領域を展開して示す図である。図４（ｂ）は、積鉄心２００の上面の領域（Ｚ軸の正の方向から負の方向に向けて見た場合の積鉄心２００の領域）を展開して示す図である。図４（ｃ）は、積鉄心２００の下面の領域（Ｚ軸の負の方向から正の方向に向けて見た場合の積鉄心２００の領域）を展開して示す図である。尚、図４でも、図３と同様に、表記の都合上、方向性電磁鋼板の積層枚数を、図２と異ならせている。また、図４（ａ）において、破線は、最表面の方向性電磁鋼板の裏側（Ｙ軸の正の方向側）にある方向性電磁鋼板の輪郭を示す。
【００４１】
図４（ａ）〜図４（ｃ）に示すように、継鉄部２２１、２２２の継鉄構成部分２２１ａ〜２２１ｃ、２２２ａ〜２２２ｃは、五角形の複数の方向性電磁鋼板を、その長手方向の端部が第１の位置および第２の位置の２つの位置に交互に配置されるように積層することにより構成される。ここで、当該方向性電磁鋼板の圧延方向は、当該五角形の最も長い辺（長手方向）に沿う方向（継鉄部２２１、２２２の長手方向）と略平行である（図４の継鉄構成部分２２１ａ〜２２１ｃ、２２２ａ〜２２２ｃの中に示す両矢印線を参照）。
【００４２】
図４（ａ）ではこのようにして積層された複数の方向性電磁鋼板を、それぞれ方向性電磁鋼板群４０１〜４０６として示す。継鉄構成部分２２１ａ〜２２１ｃ、２２２ａ〜２２２ｃを構成する複数の方向性電磁鋼板は、継鉄構成部分２２１ａ〜２２１ｃ、２２２ａ〜２２２ｃの折り曲げ位置と合う位置で、折り曲げ角度が略６０°になるように折り曲げられる。図２（ａ）、図２（ｃ）に示すように、継鉄構成部分２２１ａ〜２２１ｃ、２２２ａ〜２２２ｃを構成する複数の方向性電磁鋼板の長手方向の長さは、積鉄心２００の内周側よりも外周側（図４（ａ）の紙面の手前側よりも奥側）の方が長い。折り曲げ位置が相互に合うように方向性電磁鋼板を積層した際に、積層された方向性電磁鋼板の長手方向の端の位置が揃うように、継鉄構成部分２２１ａ〜２２１ｃ、２２２ａ〜２２２ｃを構成する複数の方向性電磁鋼板の長手方向の長さおよび折り曲げ位置が定められる。
【００４３】
図４（ａ）に示すように、脚部２１１〜２１３は、六角形の複数の方向性電磁鋼板を、その長手方向の端部が第１の位置および第２の位置の２つの位置に交互に配置されるように積層することにより構成される。ここで、当該方向性電磁鋼板の圧延方向は、当該六角形の最も長い辺（長手方向）に沿う方向（脚部２１１〜２１３の長手方向）と略平行である（図４（ａ）の脚部２１１〜２１３の中に示す両矢印線を参照）。
【００４４】
図４（ａ）ではこのようにして積層された複数の方向性電磁鋼板を、それぞれ方向性電磁鋼板群４０７〜４０９として示す。脚部２１１〜２１３を構成する六角形の複数の方向性電磁鋼板の長手方向の長さは同じであり、且つ、折り曲げられていない。
【００４５】
このようにして構成した方向性電磁鋼板群４０１〜４０９を接合することにより積鉄心２００が構成される。図４に示す例では、方向性電磁鋼板群３０１〜３０９の接合（突き合わせ）の方式を交互ラップ接合とする場合を示す。交互ラップ接合は、板の長手方向における板厚部分を見た場合に、板の長手方向の端部の位置が、第１の位置および第２の位置の２つの位置に交互に配置されるように板を積層することにより実現される。方向性電磁鋼板群４０１〜４０９を接合する方法は、前述した方向性電磁鋼板群３０１〜３０９を接合する方法の説明において、符号３０１〜３０９を４０１〜４０９に、ステップラップ接合を交互ラップ接合に置き換えたものになる。従って、方向性電磁鋼板群４０１〜４０９を接合する方法の詳細な説明を省略する。
【００４６】
交互ラップ接合としても、ステップラップ接合と同様に、方向性電磁鋼板の長手方向の端部の板厚方向の各位置における磁束の集中（即ち、当該方向性電磁鋼板の長手方向の端部の板厚方向において磁束が不均一になること）を抑制することができる。交互ラップ接合よりもステップラップ接合の方が、当該磁束の集中を抑制する効果は大きいが、交互ラップ接合の方がステップラップ接合よりも積層が容易になる。
尚、ステップラップ接合および交互ラップ接合自体は、公知の技術で実現することができ、ステップラップ接合および交互ラップ接合の方法として、図３および図４に示す以外にも種々の方法を採用することができる。
【００４７】
方向性電磁鋼板群３０１〜３０９、４０１〜４０９の固定は、例えば、方向性電磁鋼板に穴をあけて、当該穴に、当該方向性電磁鋼板と電気的に絶縁された状態でボルトを通し、当該ボルトを、当該方向性電磁鋼板と電気的に絶縁された状態でナットを用いて締めたり、ケースを用いたり、溶接を行ったりすることにより実現される。
以上のようにして積鉄心２００が構成される。
【００４８】
以上のように本実施形態では、積鉄心２００は、積鉄心２００の高さ方向から積鉄心２００を見た場合に、中空の略正六角形の形状を有する継鉄部２２１、２２２であって、積鉄心２００の高さ方向において間隔をあけて相互に対向するように配置された継鉄部２２１、２２２と、積鉄心２００の高さ方向に延設される脚部２１１、２１２、２１３であって、継鉄部２２１、２２２と接合される脚部２１１、２１２、２１３とを有する。また、相互に隣接する位置に配置される２つの継鉄構成部分（例えば、継鉄構成部分２２１ａ・２２１ｂ）の接合部（例えば、２３１ａ）の領域のＸ−Ｙ平面上の座標が、脚部（例えば、脚部２１１）の領域のＸ−Ｙ平面上の座標に含まれるようにする。従って、積鉄心２００を構成する方向性電磁鋼板の板面の方向に沿って流れる磁束が、特許文献１、２に記載の技術よりも、三相交流の各相において均等に近づき、各相の磁気回路を均等に近づけることができるため、回転磁界の発生を抑制することができる。よって、例えば、Ｂ８が大きい方向性電磁鋼板を用いても、ビルディングファクタが低下することを抑制することができると共に、高調波の磁束が積鉄心２００内に発生することを抑制することができる。よって、積鉄心２００の損失および騒音を低減することができる。
【００４９】
本実施形態では、脚部２１１、２１２、２１３の横断面が四角形である場合を例に挙げて説明した。しかしながら、脚部２１１、２１２、２１３の横断面の形状は四角形に限定されない。図５は、三相変圧器の変形例の構成を示す図であり、三相変圧器をその上方から見た上面図（図５（ａ））と、三相変圧器の高さ方向の中央における横断面を示す横断面図（図５（ｂ））と、三相変圧器をその下方から見た底面図（図５（ｃ））である。
【００５０】
図５において、三相変圧器は、積鉄心５００と、３つのコイル群５１０、５２０、５３０とを有する。
積鉄心５００は、３つの脚部５１１、５１２、５１３と、２つの継鉄部６２１、６２２とを有する。
図２（ｂ）に示す例では、脚部２１１、２１２、２１３の横断面は、四角形である。これに対し、図５（ｂ）に示す例では、脚部５１１、５１２、５１３の横断面において、方向性電磁鋼板の板面方向の長さ（幅）が、方向性電磁鋼板の積層方向の中央から端に向けて段階的に小さくなるようにする。具体的に図５（ｂ）に示す例では、脚部５１１、５１２、５１３の横断面において、方向性電磁鋼板の積層方向の中央に位置する方向性電磁鋼板の板面方向の長さが最も長く、方向性電磁鋼板の積層方向の端に位置する方向性電磁鋼板の板面方向の長さが最も短くなるように、方向性電磁鋼板の積層方向の中央から端に向けて複数枚の方向性電磁鋼板毎に多段階で、方向性電磁鋼板の板面方向の長さが短くなるようにする。
【００５１】
このような脚部５１１、５１２、５１３の形状に合わせて、継鉄部５２１、５２２を構成する方向性電磁鋼板の長さや積層枚数を定める。
以上のようにすることにより、脚部５１１、５１２、５１３の横断面の形状を円に近づけることができ、コイル群５１０、５２０、５３０を構成するコイルを円状に近い形状で巻き回すことができる。
【００５２】
尚、図５のように積鉄心５００を構成する場合も、図２に示す積鉄心２００と同様に、３つの脚部５１１、５１２、５１３の横断面において、３つの脚部５１１、５１２、５１３を構成する方向性電磁鋼板の板面は、それぞれ、積鉄心５００の軸５００ａと、当該脚部５１１、５１２、５１３の重心（軸）５１１ａ、５１２ａ、５１３ａとを相互に結ぶ仮想線が延びる方向に対して略垂直な方向を向くように、３つの脚部５１１、５１２、５１３を構成する方向性電磁鋼板は積層される。
また、継鉄部５２１、５２２を構成する複数の方向性電磁鋼板のうち、脚部５１１、５１２、５１３と接合される領域に配置される複数の方向性電磁鋼板の積層方向は、当該脚部５１１、５１２、５１３を構成する複数の方向性電磁鋼板の積層方向と略同じになる。
【００５３】
また、本実施形態のように、３つの脚部２１１、２１２、２１３の横断面において、３つの脚部２１１、２１２、２１３の重心（軸）２１１ａ、２１２ａ、２１３ａが、積鉄心２００の軸２００ａを重心の位置とする略正三角形の頂点と略同じ位置に位置するようにすれば、３相の磁気回路をより均等に近づけることができるので好ましいが、３つの脚部の横断面において、３つの脚部の重心が、積鉄心の軸を重心の位置とする三角形の頂点と略同じ位置に位置するようにしていれば、当該三角形は必ずしも略正三角形でなくてもよい。
【００５４】
（第２の実施形態）
次に、第２の実施形態を説明する。第１の実施形態では、相互に隣接する位置に配置される２つの継鉄構成部分（例えば、継鉄構成部分２２１ａ・２２１ｂ）の接合部（例えば、接合部２３１ａ）の領域のＸ−Ｙ平面上の座標が、脚部（例えば、脚部２１１）の領域のＸ−Ｙ平面上の座標に含まれる場合を例に挙げて説明した。これに対し、本実施形態では、このようにせずに、２つの継鉄構成部分の接合部が、脚部２１１、２１２、２１３と継鉄部２２１との２つの接合部の間の領域にある場合について説明する。このように本実施形態と第１の実施形態とは、継鉄部の構成の一部が主として異なる。従って、本実施形態の説明において、第１の実施形態と同一の部分については、図１〜図５に付した符号と同一の符号を付す等して詳細な説明を省略する。
【００５５】
図６は、三相変圧器の構成の一例を示す図であり、三相変圧器をその正面から見た正面図である。図７は、三相変圧器の構成の一例を示す図であり、三相変圧器をその上方（高さ方向）から見た上面図（図７（ａ））と、三相変圧器をその下方（高さ方向）から見た底面図（図７（ｂ））である。尚、三相変圧器の高さ方向の中央における横断面を示す図（図６のＩ−Ｉ断面図）は、図２（ｂ）と同じである（ただし、符号２００ａは符号６００ａに置き換えられる）。
【００５６】
三相変圧器は、積鉄心６００と、３つのコイル群３１０、３２０、３３０とを有する。
積鉄心６００は、３つの脚部２１１、２１２、２１３と、２つの継鉄部６２１、６２２とを有する。
３つのコイル群３１０、３２０、３３０および３つの脚部２１１、２１２、２１３は、第１の実施形態で説明したものと同じもので実現することができる。
【００５７】
２つの継鉄部６２１、６２２は、略同じもの（形状および大きさが略同じ）である。図７（ａ）および図７（ｂ）に示すように２つの継鉄部６２１、６２２は、積鉄心６００の軸６００ａの回りを周回する形状を有する。具体的に本実施形態でも、第１の実施形態の継鉄部２２１、２２２と同様に、２つの継鉄部６２１、６２２の形状が、中空の正六角柱である場合を例に挙げて説明する。
【００５８】
２つの継鉄部６２１、６２２は、それぞれ、３つの脚部２１１、２１２、２１３の上端部の領域、下端部の領域と接合された状態で配置される。これにより、継鉄部６２１、６２２および脚部２１１、２１２、２１３は磁気的に結合される。この際、継鉄部６２１、６２２と脚部２１１、２１２、２１３とは、それらを構成する方向性電磁鋼板の板面の一部の領域が相互に重なるようにするのが好ましい。
【００５９】
継鉄部６２１は、積層された（積み重ねられた）複数の方向性電磁鋼板の組として同じ構成の組６２１ａ〜６２１ｃを３つ有する。以下の説明では、この組を、必要に応じて継鉄構成部分６２１ａ〜６２１ｃと称する。各継鉄構成部分６２１ａ〜６２１ｃを構成する複数の方向性電磁鋼板は、長手方向の長さおよび折り曲げ位置が異なる。各継鉄構成部分を構成する複数の方向性電磁鋼板は、その長手方向の２箇所の位置で、略同じ折り曲げ角度で折り曲げられた形状（折曲部）を有する。図７（ａ）および図７（ｂ）に示す例では、当該折り曲げ角度は、略６０°である。前述したように、折り曲げ角度とは、継鉄構成部分６２１ａ〜６２１ｃを構成する方向性電磁鋼板の、平面の状態からの折り曲げ角度である。従って、継鉄構成部分６２１ａ〜６２１ｃの２つの角部の角度（のうち小さい方の角度）は、それぞれ略１２０°である。
【００６０】
図７（ａ）および図７（ｂ）に示すように、各継鉄構成部分６２１ａ〜６２１ｃは、それらを構成する複数の方向性電磁鋼板の折り曲げ部の凹面が、積鉄心６００の軸６００ａ側を向き、且つ、当該複数の方向性電磁鋼板の板面が、積鉄心６００の軸６００ａに垂直な仮想平面に対して略垂直な方向を向き、且つ、各継鉄構成部分６２１ａ〜６２１ｃと積鉄心６００の軸６００ａとの距離が略等距離になるように配置される。従って、各継鉄構成部分６２１ａ〜６２１ｃの長手方向の端部同士が接合される。
【００６１】
本実施形態では、相互に隣接する位置に配置される２つの継鉄構成部分６２１ａ・６２１ｂ、６２１ｂ・６２１ｃ、６２１ｃ・６２１ａの接合部６３１ａ、６３１ｂ、６３１ｃの、積鉄心６００の軸６００ａに垂直な仮想平面（Ｘ−Ｙ平面）上の座標は、脚部２１１、２１２、２１３の、積鉄心６００の軸６００ａに垂直な仮想平面（Ｘ−Ｙ平面）上の座標に含まれない。具体的に本実施形態では、相互に隣接する位置に配置される２つの継鉄構成部分６２１ａ・６２１ｂ、６２１ｂ・６２１ｃ、６２１ｃ・６２１ａの接合部６３１ａ、６３１ｂ、６３１ｃが、それぞれ、積鉄心６００の周方向（軸６００ａ回りの方向）において相互に隣接する２つの脚部（３つの脚部２１１〜２１３の重心（軸）を頂点とする略正三角形の各辺の両端に位置する２つの脚部）２１１・２１３、２１１・２１２、２１２・２１３と、継鉄部６２１との接合部の中間の位置になるようにする。
【００６２】
以上のようにして各継鉄構成部分６２１ａ〜６２１ｃを構成および配置することで、各継鉄構成部分６２１ａ〜６２１ｃにおいて、当該継鉄構成部分６２１ａ〜６２１ｃを構成する複数の方向性電磁鋼板の折り曲げられた２箇所の位置の間の領域が、継鉄部６２１の平面形状である中空の略正六角形の一辺を構成する。また、当該継鉄構成部分６２１ａ〜６２１ｃを構成する複数の方向性電磁鋼板のその他の領域（折り曲げられた２箇所の位置の間の領域以外の領域）と、当該継鉄構成部分６２１ａ〜６２１ｃと接合される継鉄構成部分６２１ａ〜６２１ｃの当該その他の領域（折り曲げられた２箇所の位置の間の領域以外の領域）とで、継鉄部６２１の平面形状である中空の略正六角形の一辺を構成する。
【００６３】
図２（ｂ）、図６（ａ）、図６（ｂ）に示すように、継鉄部６２１を構成する複数の方向性電磁鋼板のうち、脚部２１１、２１２、２１３と接合される領域に配置される複数の方向性電磁鋼板の積層方向は、当該脚部２１１、２１２、２１３を構成する複数の方向性電磁鋼板の積層方向と略同じになる。継鉄部６２１（継鉄構成部分６２１ａ〜６２１ｃ）を構成する複数の方向性電磁鋼板の積層方向は、前述した折り曲げ位置において異なる方向に変更される。継鉄部６２１（継鉄構成部分６２１ａ〜６２１ｃ）を構成する複数の方向性電磁鋼板の積層方向であって、相互に異なる積層方向のなす角度は略６０°である。
【００６４】
ここで、方向性電磁鋼板の折り曲げは、例えば、ユニコア加工機等、公知の技術を用いて行うことができる。
前述したように継鉄部６２２は、継鉄部６２１と略同じものであり、継鉄部６２２の説明は、以上の継鉄部６２１の説明において、符号６２１を６２２に、符号６３１を６３２に置き換えたものになる。従って、継鉄部６２２の詳細な説明を省略する。
また、方向性電磁鋼板の折り曲げられている部分に、熱処理を施すことや、方向性電磁鋼板に磁区細分化を行うことが可能であることは第１の実施形態で説明した通りである。
【００６５】
前述したように、３つの継鉄構成部分６２１ａ〜６２１ｃ、６２２ａ〜６２２ｃを接合することにより（１つの）継鉄部６２１、６２２が構成される。また、脚部２１１〜２１３と継鉄部６２１、６２２とを接合することにより、積鉄心６００が構成される。これらの接合方法は、例えば、第１の実施形態と同様に、ステップラップ接合または交互ラップ接合により実現することができる。以下に、これらの接合方法の一例を説明する。
【００６６】
図８は、積鉄心６００を展開した様子の第１の例を示す図である。図８（ａ）は、積鉄心６００の内周面の領域を展開して示す図である。図８（ｂ）は、積鉄心６００の上面の領域（Ｚ軸の正の方向から負の方向に向けて見た場合の積鉄心６００の領域）を展開して示す図である。図８（ｃ）は、積鉄心６００の下面の領域（Ｚ軸の負の方向から正の方向に向けて見た場合の積鉄心６００の領域）を展開して示す図である。尚、図８では、表記の都合上、方向性電磁鋼板の積層枚数を、図７と異ならせている。また、図８（ａ）において、破線は、最表面の方向性電磁鋼板の裏側（Ｙ軸の正の方向側）にある方向性電磁鋼板の輪郭を示す。
【００６７】
図８（ａ）〜図８（ｃ）に示すように、継鉄部６２１、６２２の継鉄構成部分６２１ａ〜６２１ｃ、６２２ａ〜６２２ｃは、長方形に対し、脚部２１１〜２１３の長手方向の端の形状に合わせて三角形状に凹んだ形状の複数の方向性電磁鋼板を、当該長方形の長辺（長手方向）に沿う方向（継鉄部６２１、６２２の長手方向）の端部の位置が階段状に繰り返しずれるように積層することにより構成される。ここで、当該方向性電磁鋼板の圧延方向は、当該長方形の長辺（長手方向）に沿う方向（継鉄部６２１、６２２の長手方向）と略平行である（図８の継鉄構成部分６２１ａ〜６２１ｃ、６２２ａ〜６２２ｃの中に示す両矢印線を参照）。
【００６８】
図８（ａ）ではこのようにして積層された複数の方向性電磁鋼板を、それぞれ方向性電磁鋼板群８０１〜８０６として示す。継鉄構成部分６２１ａ〜６２１ｃ、６２２ａ〜６２２ｃを構成する複数の方向性電磁鋼板は、継鉄構成部分６２１ａ〜６２１ｃ、６２２ａ〜６２２ｃの折り曲げ位置と合う位置で、折り曲げ角度が略６０°になるように折り曲げられる。図７（ａ）、図７（ｂ）に示すように、継鉄構成部分６２１ａ〜６２１ｃ、６２２ａ〜６２２ｃを構成する複数の方向性電磁鋼板の長手方向の長さは、積鉄心６００の内周側よりも外周側（図８（ａ）の紙面の手前側よりも奥側）の方が長い。折り曲げ位置が相互に合うように方向性電磁鋼板を積層した際に、積層された方向性電磁鋼板の長手方向の端の位置が揃うように、継鉄構成部分６２１ａ〜６２１ｃ、６２２ａ〜６２２ｃを構成する複数の方向性電磁鋼板の長手方向の長さ、折り曲げ位置、および三角形状の凹んだ部分の位置が定められる。
【００６９】
図８（ａ）に示すように、脚部２１１〜２１３は、六角形の複数の方向性電磁鋼板を、当該六角形の最も長い辺に沿う方向（脚部２１１〜２１３の長手方向）の位置が階段状に繰り返しずれるように積層することにより構成される。ここで、当該方向性電磁鋼板の圧延方向は、当該六角形の最も長い辺（長手方向）に沿う方向（脚部２１１〜２１３の長手方向）と略平行である（図８（ａ）の脚部２１１〜２１３の中に示す両矢印線を参照）。
【００７０】
図８（ａ）ではこのようにして積層された複数の方向性電磁鋼板を、それぞれ方向性電磁鋼板群８０７〜８０９として示す。脚部２１１〜２１３を構成する六角形の複数の方向性電磁鋼板の長手方向の長さは同じであり、且つ、折り曲げられていない。
【００７１】
このようにして構成した方向性電磁鋼板群８０１〜８０９をステップラップ接合することにより積鉄心６００が構成される。
図８に示す例では、継鉄構成部分６２１ａを構成する方向性電磁鋼板群８０１の長手方向の一端と、継鉄構成部分６２１ｂを構成する方向性電磁鋼板群８０２の長手方向の一端とがステップラップ接合される。また、継鉄構成部分６２１ｂを構成する方向性電磁鋼板群８０２の長手方向の他端と、継鉄構成部分６２１ｃを構成する方向性電磁鋼板群８０３の長手方向の一端とがステップラップ接合される。また、継鉄構成部分６２１ｃを構成する方向性電磁鋼板群８０３の長手方向の他端と、継鉄構成部分６２１ａを構成する方向性電磁鋼板群８０１の長手方向の他端とがステップラップ接合される。また、脚部２１１を構成する方向性電磁鋼板群８０７の長手方向の一端と、継鉄構成部分６２１ａを構成する方向性電磁鋼板群８０１の長手方向の中央の下端において凹んでいる部分とがステップラップ接合される。また、脚部２１３を構成する方向性電磁鋼板群８０８の長手方向の一端と、継鉄構成部分６２１ｂを構成する方向性電磁鋼板群８０２の長手方向の中央の下端において凹んでいる部分とがステップラップ接合される。また、脚部２１２を構成する方向性電磁鋼板群８０９の長手方向の一端と、継鉄構成部分６２１ｃを構成する方向性電磁鋼板群８０３の長手方向の中央の下端において凹んでいる部分とがステップラップ接合される。継鉄構成部分２２２ａ〜２２２ｃについても継鉄構成部分２２１ａ〜２２１ｃと同様に、脚部２１１〜２１３、および、当該継鉄構成部分に隣接して配置される２つの継鉄構成部分とステップラップ接合される。
【００７２】
図９は、積鉄心６００を展開した様子の第２の例を示す図である。図９（ａ）は、積鉄心６００の内周面の領域を展開して示す図である。図９（ｂ）は、積鉄心６００の上面の領域（Ｚ軸の正の方向から負の方向に向けて見た場合の積鉄心６００の領域）を展開して示す図である。図９（ｃ）は、積鉄心６００の下面の領域（Ｚ軸の負の方向から正の方向に向けて見た場合の積鉄心６００の領域）を展開して示す図である。尚、図９でも、図８と同様に、表記の都合上、方向性電磁鋼板の積層枚数を、図２と異ならせている。また、図９（ａ）において、破線は、最表面の方向性電磁鋼板の裏側（Ｙ軸の正の方向側）にある方向性電磁鋼板の輪郭を示す。
【００７３】
図９（ａ）〜図９（ｃ）に示すように、継鉄部６２１、６２２の継鉄構成部分６２１ａ〜６２１ｃ、６２２ａ〜６２２ｃは、長方形に対し、脚部２１１〜２１３の長手方向の端の形状に合わせて三角形状に凹んだ形状の複数の方向性電磁鋼板を、当該長方形の長辺（長手方向）に沿う方向（継鉄部６２１、６２２の長手方向）の端部が第１の位置および第２の位置の２つの位置に交互に配置されるように積層することにより構成される。ここで、当該方向性電磁鋼板の圧延方向は、当該長方形の最も長辺（長手方向）に沿う方向（継鉄部６２１、６２２の長手方向）と略平行である（図９の継鉄構成部分６２１ａ〜６２１ｃ、６２２ａ〜６２２ｃの中に示す両矢印線を参照）。
【００７４】
図９（ａ）ではこのようにして積層された複数の方向性電磁鋼板を、それぞれ方向性電磁鋼板群９０１〜９０６として示す。継鉄構成部分６２１ａ〜６２１ｃ、６２２ａ〜６２２ｃを構成する複数の方向性電磁鋼板は、継鉄構成部分６２１ａ〜６２１ｃ、６２２ａ〜６２２ｃの折り曲げ位置と合う位置で、折り曲げ角度が略６０°になるように折り曲げられる。図７（ａ）、図７（ｂ）に示すように、継鉄構成部分６２１ａ〜６２１ｃ、６２２ａ〜６２２ｃを構成する複数の方向性電磁鋼板の長手方向の長さは、積鉄心６００の内周側よりも外周側（図９（ａ）の紙面の手前側よりも奥側）の方が長い。折り曲げ位置が相互に合うように方向性電磁鋼板を積層した際に、積層された方向性電磁鋼板の長手方向の端の位置が揃うように、継鉄構成部分６２１ａ〜６２１ｃ、６２２ａ〜６２２ｃを構成する複数の方向性電磁鋼板の長手方向の長さが定められる。
【００７５】
図９（ａ）に示すように、脚部２１１〜２１３は、六角形の複数の方向性電磁鋼板を、当該六角形の最も長い辺（長手方向）に沿う方向（脚部２１１〜２１３の長手方向）の端部が第１の位置および第２の位置の２つの位置に交互に配置されるように積層することにより構成される。ここで、当該方向性電磁鋼板の圧延方向は、当該六角形の最も長い辺（長手方向）に沿う方向（脚部２１１〜２１３の長手方向）と略平行である（図９（ａ）の脚部２１１〜２１３の中に示す両矢印線を参照）。
【００７６】
図９（ａ）ではこのようにして積層された複数の方向性電磁鋼板を、それぞれ方向性電磁鋼板群９０７〜９０９として示す。脚部２１１〜２１３を構成する六角形の複数の方向性電磁鋼板の長手方向の長さは同じであり、且つ、折り曲げられていない。
【００７７】
このようにして構成した方向性電磁鋼板群９０１〜９０９を交互ラップ接合することにより積鉄心６００が構成される。
図９に示す例では、方向性電磁鋼板群９０１〜９０９を接合する方法は、前述した方向性電磁鋼板群８０１〜８０９を接合する方法の説明において、符号８０１〜８０９を９０１〜９０９に、ステップラップ接合を交互ラップ接合に置き換えたものになる。従って、方向性電磁鋼板群９０１〜９０９を接合する方法の詳細な説明を省略する。
尚、第１の実施形態で説明したように、ステップラップ接合および交互ラップ接合自体は、公知の技術で実現することができ、ステップラップ接合および交互ラップ接合の方法として、図８および図９に示す以外にも種々の方法を採用することができる。
【００７８】
方向性電磁鋼板群４０１〜４０９の固定の方法は、例えば、第１の実施形態で説明したのと同じようにして実現される。
以上のようにして積鉄心６００が構成される。
【００７９】
以上のように、相互に隣接する位置に配置される２つの継鉄構成部分（例えば、継鉄構成部分６２１ａ・６２１ｂ）が、積鉄心６００の周方向において相互に隣接する２つの脚部（例えば、脚部２１１・２１３）と、継鉄部（例えば、継鉄部６２１）との接合部の中間の位置になるようにしても、第１の実施形態で説明したのと同様の効果を奏する。
【００８０】
本実施形態においても、第１の実施形態で説明したように、脚部の横断面の形状は四角形に限定されない。例えば、脚部の横断面において、方向性電磁鋼板の板面方向の長さ（幅）が、方向性電磁鋼板の積層方向の中央から端に向けて段階的に小さくなるようにしてもよい。また、３つの脚部の横断面において、３つの脚部の重心が、積鉄心の軸を重心の位置とする三角形の頂点と略同じ位置に位置するようにしていれば、当該三角形は必ずしも略正三角形でなくてもよい。
【００８１】
尚、以上説明した本発明の実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【符号の説明】
【００８２】
２００，６００，６００：積鉄心、２１１〜２１３，５１１〜５１３：脚部、２２１〜２２２，６２１〜６２２：継鉄部、２２１ａ〜２２１ｃ，２２２ａ〜２２２ｃ，６２１ａ〜６２１ｃ，６２２ａ〜６２２ｃ：継鉄構成部分、２３１ａ〜２３１ｃ，２３２ａ〜２３２ｃ，６３１ａ〜６３１ｃ，６３２ａ〜６３２ｃ：接合部、３１０，３２０，３３０，５１０，５２０，５３０：コイル群、３０１〜３０９，３０１〜４０９，８０１〜８０９、９０１〜９０９：方向性電磁鋼板群
【図１】
2019125651.tif 000003
【図２】
2019125651.tif 000004
【図３】
2019125651.tif 000005
【図４】
2019125651.tif 000006
【図５】
2019125651.tif 000007
【図６】
2019125651.tif 000008
【図７】
2019125651.tif 000009
【図８】
2019125651.tif 000010
【図９】
2019125651.tif 000011